(57)【要約】【課題】ユーザの利便性を確保しつつ、地上デジタルラジオ放送によって放送される楽曲を保存する技術を提供することを課題とする。【解決手段】受信装置１は、１セグ方式のデジタルラジオ放送を受信し、放送信号をテンポラリメモリ１７に常時記録する。楽曲の放送中に、ユーザが楽曲保存指示を行うと、現在放送中の楽曲のフレーズデータＦＤが楽曲検索サーバ３に転送される。サーバ３は、フレーズデータＦＤと一致する部分データを含む楽曲を特定する。楽曲を特定すると、サーバ３は、特定された楽曲データの先頭データＴＤと終端データＥＤを受信装置１に転送する。受信装置１では、テンポラリメモリ１７に格納されている放送データの中から先頭データＴＤと終端データＥＤを検出し、１曲分の楽曲データを特定し、課金処理を実行した後、メモリカード１９に保存する。【選択図】図４
2008131257.tif 000002
【特許請求の範囲】
【請求項１】
１セグメント方式の地上デジタルラジオ放送を受信して、楽曲を保存する方法であって、
a)受信機において楽曲を含む放送信号をリングメモリに常時記録する工程と、
b)前記受信機において楽曲の受信中に保存指示を受けた場合、前記リングメモリに格納されている現在受信中の楽曲の一部のデータを、サーバに送信する工程と、
c)前記サーバが、受信した楽曲の一部のデータに基づいて、楽曲を特定し、特定した楽曲の先頭データおよび終端データを前記受信機に送信する工程と、
d)前記受信機において、前記サーバから受信した先頭データおよび終端データに基づき、前記リングメモリに格納されている楽曲データの先頭および終端を特定し、特定された楽曲の１曲分のデータを保存用メモリに格納する工程と、
を備えることを特徴とする地上デジタルラジオの楽曲保存方法。
【請求項２】
１セグメント方式の地上デジタルラジオ放送を受信して、楽曲を保存する方法であって、
a)楽曲を含む放送信号をリングメモリに常時記録する工程と、
b)楽曲の受信中に保存指示を受けた場合、前記リングメモリに格納されている現在受信中の楽曲の一部のデータを、サーバに送信する工程と、
c)前記工程b)で送信した楽曲の一部のデータに基づいて楽曲を特定した前記サーバから、特定した楽曲の先頭データおよび終端データを受信する工程と、
d)前記サーバから受信した先頭データおよび終端データに基づき、前記リングメモリに格納されている楽曲データの先頭および終端を特定し、特定された楽曲の１曲分のデータを保存用メモリに格納する工程と、
を備えることを特徴とする地上デジタルラジオの楽曲保存方法。
【請求項３】
請求項１または請求項２に記載の地上デジタルラジオの楽曲保存方法において、
前記サーバは、楽曲データベースを保有しており、受信した楽曲の一部のデータを曲中に含む楽曲データを検索することによって、楽曲を特定することを特徴とする地上デジタルラジオの楽曲保存方法。
【請求項４】
請求項１ないし請求項３のいずれかに記載の地上デジタルラジオの楽曲保存方法において、
前記工程d)は、楽曲の購入に関わる課金処理が実行された後、楽曲データを保存用メモリに格納することを特徴とする地上ラジオデジタルの楽曲保存方法。
【請求項５】
請求項４に記載の地上デジタルラジオの楽曲保存方法において、
前記課金処理には、楽曲に設定されたコピーワンス状態の解除権購入処理が含まれることを特徴とする地上デジタルラジオの楽曲保存方法。
【発明の詳細な説明】
【技術分野】
【０００１】
本発明は、地上デジタルラジオ放送で放送された楽曲を保存する技術に関する。
【背景技術】
【０００２】
地上デジタルラジオ放送のサービス開始に向けて調整が進められている。地上デジタルラジオ放送はＣＤ並みの高品質音声に加えて、文字データ、画像データなどを放送できるなど、多様なサービスを提供できる新しい放送形態である。
【０００３】
下記特許文献１は、デジタルラジオ放送の受信装置に関するものである。この受信装置は、放送信号に含まれる付加情報から音楽のジャンルを特定し、ジャンルに適した設定で受信した音楽を再生するようにしている。このように、デジタルラジオ放送においては、従来のアナログラジオ放送と違って、様々な付加情報を受信装置で受信することが可能であり、ユーザに対して様々なサービスを展開することが可能である。
【０００４】
また、再生されている楽曲のフレーズから、再生中の楽曲を判別するサービスが下記非特許文献１で紹介されている。このサービスを利用するユーザは、楽曲の再生音を携帯電話のマイクで集音し、取得した音声データをサーバに転送する。サーバでは、転送されてきた音声データから楽曲を特定し、特定された楽曲１曲分のデータをユーザの携帯電話機に転送するのである。
【０００５】
【特許文献１】特開２００６−１０９２３３号公報
【非特許文献１】“聞かせて検索を利用する”、ＫＤＤＩ株式会社、[平成１８年１１月１日検索]、インターネット＜ＵＲＬ：http://www.au.kddi.com/manual/w41sa/music/music06.html＞
【発明の開示】
【発明が解決しようとする課題】
【０００６】
地上デジタルラジオ放送により送信される楽曲は、高音質である。したがって、その楽曲を保存して聴きたいというユーザの要望も高くなるであろう。
【０００７】
従来のアナログラジオ放送におけるエアチェック操作というものは、決して利便性のよいものではなかった。つまり、基本的には、楽曲の録音開始と録音終了はユーザの操作に依存しているため、ユーザにとっては面倒な操作であった。番組放送を全部録音した場合であっても、後で編集する作業が必要である。
【０００８】
上記非特許文献１では、ユーザが曲名を知らない楽曲であっても、比較的簡易な操作で、楽曲データをダウンロードすることが可能である。そして、携帯電話を利用して、サービスを受けることができるという点にも特徴がある。しかし、携帯電話を利用したデータのダウンロードサービスは、料金がまだまだ高額であるという問題がある。また、ダウンロードに費やす時間も長いという問題がある。特に、高音質な楽曲データであれば、ダウンロードに掛かる費用、時間ともユーザにとって負担の大きいものである。
【０００９】
また、地上デジタルラジオ放送は、その高音質ゆえ、自由なコピーを許してしまうと、著作権者などの権利が守られないという問題が発生する。つまり、従来のアナログラジオ放送では、ユーザがエアチェックした楽曲の音質は、それ程高いものではなかった。したがって、そのエアチェックされた楽曲のコピーが出回り、レコードやＣＤの売上げに影響するというケースはあまり考えられなかった。しかし、地上デジタルラジオ放送については、その点を充分に考慮する必要がある。
【００１０】
そこで、ユーザの利便性を確保しつつ、かつ著作権者の保護を図りながら、地上デジタルラジオ放送によって放送される楽曲を保存する技術を提供することを目的とする。
【課題を解決するための手段】
【００１１】
上記課題を解決するため、請求項１記載の発明は、１セグメント方式の地上デジタルラジオ放送を受信して、楽曲を保存する方法であって、a)受信機において楽曲を含む放送信号をリングメモリに常時記録する工程と、b)前記受信機において楽曲の受信中に保存指示を受けた場合、前記リングメモリに格納されている現在受信中の楽曲の一部のデータを、サーバに送信する工程と、c)前記サーバが、受信した楽曲の一部のデータに基づいて、楽曲を特定し、特定した楽曲の先頭データおよび終端データを前記受信機に送信する工程と、d)前記受信機において、前記サーバから受信した先頭データおよび終端データに基づき、前記リングメモリに格納されている楽曲データの先頭および終端を特定し、特定された楽曲の１曲分のデータを保存用メモリに格納する工程と、を備えることを特徴とする。
【００１２】
請求項２記載の発明は、１セグメント方式の地上デジタルラジオ放送を受信して、楽曲を保存する方法であって、a)楽曲を含む放送信号をリングメモリに常時記録する工程と、b)楽曲の受信中に保存指示を受けた場合、前記リングメモリに格納されている現在受信中の楽曲の一部のデータを、サーバに送信する工程と、c)前記工程b)で送信した楽曲の一部のデータに基づいて楽曲を特定した前記サーバから、特定した楽曲の先頭データおよび終端データを受信する工程と、d)前記サーバから受信した先頭データおよび終端データに基づき、前記リングメモリに格納されている楽曲データの先頭および終端を特定し、特定された楽曲の１曲分のデータを保存用メモリに格納する工程と、を備えることを特徴とする。
【００１３】
請求項３記載の発明は、請求項１または請求項２に記載の地上デジタルラジオの楽曲保存方法において、前記サーバは、楽曲データベースを保有しており、受信した楽曲の一部のデータを曲中に含む楽曲データを検索することによって、楽曲を特定することを特徴とする。
【００１４】
請求項４記載の発明は、請求項１ないし請求項３のいずれかに記載の地上デジタルラジオの楽曲保存方法において、前記工程d)は、楽曲の購入に関わる課金処理が実行された後、楽曲データを保存用メモリに格納することを特徴とする。
【００１５】
請求項５記載の発明は、請求項４に記載の地上デジタルラジオの楽曲保存方法において、前記課金処理には、楽曲に設定されたコピーワンス状態の解除権購入処理が含まれることを特徴とする。
【発明の効果】
【００１６】
本発明の地上デジタルラジオの楽曲保存方法は、常時保存している放送データに含まれるフレーズデータを利用して、サーバで楽曲を特定し、サーバから楽曲の先頭情報と終端情報を得る。これにより、ユーザは、楽曲保存指示を行うだけで、先頭情報と終端情報で特定された１曲分の楽曲データを放送データから得ることができる。
【００１７】
サーバからは１曲分の全ての楽曲データがダウンロードされるのではなく、先頭情報と終端情報だけが転送されるので、通信費用や通信時間を節約することが可能である。
【００１８】
受信装置では、常時記録している放送データの中から保存する楽曲データを得るので、楽曲データを効率的に取得することが可能である。
【発明を実施するための最良の形態】
【００１９】
以下、図面を参照しつつ本発明の実施の形態について説明する。図１は、地上デジタルラジオ放送のシステム全体図である。放送局２から送信された地上デジタルラジオ放送は、受信装置１によって受信される。受信装置１は、地上デジタルラジオ放送を受信する専用端末であってもよいし、地上デジタルラジオ放送の受信機能を備えた携帯電話機などであってもよい。
【００２０】
受信装置１は、図に示すように、放送信号受信部１１、データ通信部１２、制御部１３、操作部１４、ＬＣＤモニタ１５、スピーカ１６、テンポラリメモリ１７、メモリカードスロット１８を備えている。図では、メモリカードスロット１８にメモリカード１９が挿入されている様子を示している。
【００２１】
放送信号受信部１１は、チューナ部１１１およびデコード部１１２を備えている。チューナ部１１１は、アンテナ１１３を介して受信した地上デジタルラジオの放送信号から所定のチャンネルの信号を受信して、デコード部１１２に出力する。デコード部１１２は、ＯＦＤＭ（Orthogonal Frequency Division Multiplexing）変調されている放送信号を復調し、また、圧縮されている音声信号などをデコードする。
【００２２】
なお、地上デジタルラジオ放送には、ＶＨＦ帯の１セグメントを利用する放送形式と、３セグメントを利用する形式とが存在するが、本発明は、１セグメント方式の放送信号を受信する場合に主に利用可能な発明である。つまり、３セグメント方式のデジタルラジオ受信においては、帯域幅が広いため、楽曲の一括ダウンロード処理などを比較的容易に行うことができる。本発明は、帯域幅の狭い１セグメント方式においても、効率よく楽曲を保存するための技術を提供するものである。
【００２３】
データ通信部１２は、アンテナ１２１を介して、データ通信網５に接続し、楽曲検索サーバ３や課金サーバ６との間でデータの送受信を行う。データ通信網５は、たとえばインターネット網である。また、受信装置１が携帯電話機で構成されている場合には、データ通信網５は、携帯電話網やインターネット網などを含むネットワークである。
【００２４】
制御部１３は、放送信号受信部１１においてデコードされた放送信号を、スピーカ１６から出力する。これにより、ユーザは、地上デジタルラジオ放送を聴くことができる。また、デジタルラジオの放送信号には、各種の付加情報が多重されている。制御部１３は、これら付加情報をＬＣＤモニタ１５に表示させるのである。これによって、ユーザは、ラジオ放送を聴きながら、楽曲情報などを参照することが可能である。
【００２５】
このように、受信装置１は、デジタルラジオ放送の受信機能やデータ通信機能を備えた装置である。このような装置としては、上述したように、携帯電話機に拡張機能を持たせることによって実現することが想定される。現在の一般的な携帯電話機は、データ通信機能、操作部、スピーカ、ＬＣＤモニタ、内蔵メモリ、メモリカードなどを装備した小型の端末であるので、携帯電話機にデジタルラジオ放送の受信機能を装備されることで、本実施の形態の受信装置１は、比較的容易に実現可能な構成である。
【００２６】
図２は、テンポラリメモリ１７の記録形式を示す図である。テンポラリメモリ１７は、リングメモリとして使用される。つまり、制御部１３は、放送信号受信部１１においてデコードされた放送データを、テンポラリメモリ１７に常時記録するのである。まず、先頭のアドレスから順に放送データをテンポラリメモリ１７に記録していき、最終のアドレスまで達したら、再び、先頭のアドレスから放送データを上書き記録していくのである。テンポラリメモリ１７は、１曲分の楽曲データを一時的に記録する必要があるので、少なくとも１曲分を記録可能な程度の記憶サイズが必要である。たとえば、１０分間程度の放送データを記録可能な領域が必要である。
【００２７】
図３は、データ通信網５に接続された楽曲検索サーバ３の機能ブロック図である。楽曲検索サーバ３は、楽曲データベース３１、通信部３２、検索部３３、楽曲情報抽出部３４を備えている。
【００２８】
楽曲データベース３１は、様々なジャンルの楽曲データが格納されたデータベースである。楽曲データベース３１には、たとえば、ＭＰ３形式などのフォーマットで作成された楽曲データが多数蓄積されている。
【００２９】
通信部３２は、データ通信網５を介して、受信装置１からの楽曲検索要求を受信する。また、通信部３２は、楽曲検索サーバ３において実行された楽曲検索処理の結果を受信装置１に送信する機能などを備える。
【００３０】
検索部３３は、受信装置１から受信した楽曲検索要求に従って、楽曲データベース３１を参照して、楽曲を検索する機能部である。具体的には、楽曲検索サーバ３は、受信装置１から、未知の楽曲のＮ秒間のフレーズデータＦＤを受信する。検索部３３は、楽曲データベース３１に格納されている楽曲データと、受信したフレーズデータＦＤの照合を行い、受信したフレーズデータＦＤが含まれる楽曲を特定するのである。
【００３１】
楽曲情報抽出部３４は、検索部３３によって検索された楽曲データから先頭データＴＤおよび終端データＥＤを抽出する機能部である。たとえば、検索された楽曲の最初の５秒間のデータと、末尾の５秒間のデータを切り出して抽出する。楽曲情報抽出部３４において抽出された先頭データＴＤおよび終端データＥＤは、通信部３２により受信装置１に転送される。受信装置１は、この転送された先頭データＴＤおよび終端データＥＤを利用して、テンポラリメモリ１７に格納されている楽曲の先頭部分と終端部分を特定するのである。
【００３２】
以上の通り構成された受信装置１、楽曲検索サーバ３を利用した楽曲の保存処理の流れを図４を参照しながら説明する。
【００３３】
上述したように、まず、受信装置１の制御部１３は、放送信号受信部１１においてデコードされた放送データを、テンポラリメモリ１７に常時記録する。このとき、制御部１３は、テンポラリメモリ１７に対する放送データの記録を行いつつ、スピーカ１６から放送音声を出力している。したがって、ユーザは、地上デジタルラジオ放送を聴くことができる。
【００３４】
このような状態で、ユーザが、現在流れている楽曲を保存しようとする場合、操作部１４を操作して、保存指示を行うのである。制御部１３は、ユーザによって行なわれた保存指示を受け付けると、現在記録されている楽曲の過去Ｎ秒分のフレーズデータＦＤを抽出する。たとえば、ボタン操作がされた時点から過去１０秒分のフレーズデータＦＤを抽出する。あるいは、ボタン操作がされた時点からスタートしてＮ秒分のデータをフレーズデータＦＤとして抽出してもよいし、ボタン操作がされた時点の前後Ｎ秒分のデータをフレーズデータＦＤとして抽出してもよい。また、それらのフレーズデータＦＤの抽出方法をユーザにより設定可能としておけばよい。
【００３５】
制御部１３により、フレーズデータＦＤが抽出されると、次に、データ通信部１２により抽出したフレーズデータＦＤが楽曲検索サーバ３に転送される。ここで、楽曲検索サーバ３のネットワークアドレスなどは、予め受信装置１に設定されている。あるいは、この楽曲検索サービスを提供するサーバが、複数の業者によって運営されているのであれば、ユーザにより、サーバ（サービス会社）を選択可能にしておけばよい。
【００３６】
楽曲検索サーバ３は、通信部３２によりフレーズデータＦＤを受信すると、検索部３３により、楽曲の検索処理を実行する。具体的には、受信装置１から転送されたフレーズデータＦＤと、楽曲データベース３１に格納されている楽曲データの照合を行い、一致するフレーズデータＦＤを含む楽曲を検索するのである。つまり、受信装置１から転送されてきたフレーズを含む楽曲を探し出すのである。
【００３７】
検索部３３により、フレーズデータＦＤが一致した楽曲が検索されると、次に、楽曲情報抽出部３４が、検索された楽曲データの先頭データＴＤおよび終端データＥＤを抽出する。そして、通信部３２が、抽出された先頭データＴＤおよび終端データＥＤを受信装置１に転送する。
【００３８】
なお、楽曲データベース３１に、楽曲データとともに、当該楽曲に関する付帯情報を格納しておくようにしてもよい。そして、通信部３２は、検索された楽曲データの先頭データＴＤおよび終端データＥＤともに、当該楽曲の付帯情報も受信装置１に転送するようにしてもよい。付帯情報とは、たとえば、楽曲の曲名、アーティスト名などの情報である。さらには、当該アーティストによるコンサート情報や、検索された楽曲が含まれるアルバム情報などを含めてもよい。
【００３９】
受信装置１では、データ通信部１２が、楽曲検索サーバ３により送信された先頭データＴＤおよび終端データＥＤを受信する。そして、制御部１３は、テンポラリメモリ１７に格納されている放送データの中から、受信した先頭データＴＤと終端データＥＤに一致するデータ部分をサーチする。
【００４０】
制御部１３は、テンポラリメモリ１７に格納されている放送データ中に、受信した先頭データＴＤと終端データＥＤに一致するデータ部分を検知すると、次に、ユーザに対して楽曲購入の意思を確認するメッセージをＬＣＤモニタ１５に表示させる。たとえば、「この曲を購入しますか？」といったメッセージを表示させる。
【００４１】
ユーザにより、購入を指示する操作が行われると、制御部１３は、まず、テンポラリメモリ１７に格納されている放送データのうち、先頭データＴＤと一致したデータ部分から終端データＥＤと一致したデータ部分までの領域を上書き禁止設定する。
【００４２】
受信装置１が先頭データＴＤと終端データＥＤを受信した時点で、まだ、ユーザが保存を希望している曲が放送中の場合がある。この場合には、制御部１３は、終端データＥＤを検出できないことになる。制御部１３は、先頭データＴＤを検出したが、終端データＥＤを検出しない場合には、引き続き放送データのテンポラリメモリ１７に対する書き込みを続け、終端データＥＤが検出されるまで、サーチ処理を続けるようにする。そして、終端データＥＤが検出された時点で、先頭データＴＤと一致したデータ部分から終端データＥＤと一致したデータ部分までの領域を上書き禁止に設定するのである。
【００４３】
続いて、制御部１３は、図示せぬ記憶部に格納されている課金アクセス情報から、課金処理のためにアクセスする課金サーバ６（図１に図示）のネットワークアドレス情報を得る。そして、制御部１３は、データ通信網５を経由して課金サーバ６にアクセスし、課金情報を送信するのである。このようにして課金情報が送信されると、後に、決済処理が行われ、放送局やレコード会社に売上金が分配されることになる。
【００４４】
課金サーバ６に対して、課金情報が送信されると、制御部１３は、テンポラリメモリ１７に一時的に記録されている楽曲データを、メモリカード１９に保存するのである。つまり、先頭データＴＤと終端データＥＤによって特定される１曲分のデータをメモリカード１９に保存するのである。あるいは、課金情報を送信した後、課金サーバ６から課金確認情報を受け取ってから、楽曲データの保存処理を行うような仕組みにしてもよい。このようにして、ユーザは、地上デジタルラジオ放送で放送されていた楽曲データを、メモリカード１９に保存することが可能である。ユーザは、メモリカード１９に保存した楽曲を受信装置１においていつでも再生して楽しむことが可能である。あるいは、メモリカード１９を別の再生装置に挿入することによっても、保存した楽曲を楽しむことが可能である。
【００４５】
制御部１３は、テンポラリメモリ１７に記録されている楽曲データを、メモリカード１９に保存した後、テンポラリメモリ１７の上書き禁止を解除する。そして、再び、放送データの常時記録を開始するのである。このように、本実施の形態の受信装置１は、放送データを常時記録しつつ、楽曲の放送中にユーザによって行われた保存指示を受けて、現在受信中の楽曲を保存することを可能としている。そして、放送信号に含まれる楽曲部分は、楽曲検索サーバ３によって検索された先頭データＴＤと終端データＥＤによって特定されるので、ユーザは、煩雑な操作を行うことなく、保存指示を行うだけで、簡単に現在流れている楽曲をメモリカード１９に保存することが可能となる。
【００４６】
そして、ユーザが、楽曲の保存指示を行った後、楽曲検索サーバ３において、楽曲の検索処理が行われるが、楽曲検索サーバ３から転送されるのは、先頭データＴＤと終端データＥＤだけである。したがって、受信装置１によるデータ通信網５の利用が、従量制課金に基づくものである場合であっても、データ転送料金を非常に安価におさえることができるのである。また、データ転送時間も短くすることができる。そして、メモリカード１９に保存する楽曲データは、常時記録している放送データを利用するので、楽曲データをダウンロードすることを不要とした、効率的なサービス形態となっている。
【００４７】
以上説明したように、上記実施の形態において楽曲データをメモリカード１９に保存することが可能であるが、この楽曲データは、一般には著作権保護されたデータである。たとえば、デジタルラジオ放送信号にコピーワンス制限が加えられることが想定される。この場合、上記の楽曲購入手続きに、コピーワンス解除購入権も含めた複数パターンの形態を持たせてもよい。
【００４８】
１つの形態は、コピーワンス状態を維持したままの楽曲の購入である。つまり、ユーザは、課金処理により、楽曲をメモリカード１９に保存することが可能となるが、それ以外の媒体に楽曲をコピーすることはできない。
【００４９】
もう１つの形態は、コピーワンス解除キーの購入も含めた形態である。この場合、ユーザは、メモリカード１９に保存した楽曲を、さらに別の媒体にコピーすることも可能である。
【００５０】
さらに、もう１つの形態は、コピーワンス解除キーの購入と歌詞データ、ジャケット画像データなど付加情報を合わせて購入する形態である。この形態であれば、課金処理後に、保存した楽曲の歌詞データやアルバムジャケット画像データが受信装置１にダウンロードされるのである。歌詞データやアルバムジャケット画像データは、楽曲データベース３１を保有する楽曲検索サーバ３からダウンロードする形態であってもよいし、また、別のサーバを利用する形態であってもよい。この場合、ユーザは、メモリカード１９に保存した楽曲を、別の媒体にコピーして楽しむことや、当該楽曲に関する様々な付加情報を合わせて購入することができる。
【図面の簡単な説明】
【００５１】
【図１】地上デジタルラジオ放送のシステム構成と受信装置の機能ブロックを示す図である。
【図２】テンポラリメモリに対する記録形式を示す図である。
【図３】楽曲データベースを保有する楽曲検索サーバの機能ブロック図である。
【図４】楽曲の検索処理から保存処理までの一連の流れを示す図である。
【符号の説明】
【００５２】
１    受信装置
２    放送局
３    楽曲検索サーバ
１４    操作部
１５    ＬＣＤモニタ
１７    テンポラリメモリ
１９    メモリカード
【図１】
2008131257.tif 000003
【図２】
2008131257.tif 000004
【図３】
2008131257.tif 000005
【図４】
2008131257.tif 000006